(57)【要約】  本発明は、キャビン空間（２１）を画成する複数の壁（１５〜１８）からなる自己支持型の構造体（９）の形式のキャビンモジュール（８）に関する。これらの壁（１５〜１８）は、連続した裁断片（２２）から形成されており、互いに直接連続して配置された壁（１５〜１８）の角部領域（２０）内で外側層（２８）はそれぞれ連続しており、かつ変形して形成されており、内側層（２７）は分離セクション（２９）によって中断して形成されている。少なくとも第１の側壁（１５）、底壁（１６）、第２の側壁（１７）及び天井壁（１８）が設けられている。裁断片（２２）の終端セクション（２３、２４）は、壁（１５〜１８）が立ち上げられた場合に互いに結合されている。本発明はさらに、この種のキャビンモジュール（８）を搭載した自動車（１）も有している。【選択図】図１
2020511357.tif 000002
【特許請求の範囲】
【請求項１】
特に、緊急車両、消防車両、消火車両、自治体車両、輸送車両のような、自動車（１）用の、自己支持型の構造体（９）の形式のキャビンモジュール（８）であって、
−複数の壁（１５〜１８）を有し、前記壁がキャビン空間（２１）を少なくとも領域的に画成し、
−壁（１５〜１８）がそれぞれ、キャビン空間（２１）を向いた内側層（２７）と該内側層から離隔して配置された外側層（２８）とを有し、かつ
−個々の壁（１５〜１８）が、第１の終端セクション（２３）と裁断片（２２）の長手方向に該第１の終端セクションから離隔して配置された第２の終端セクション（２４）とを備えた、連続した裁断片（２２）から形成されており、
−互いに直接連続して配置された壁（１５〜１８）の角部領域（２０）内で外側層（２８）がそれぞれ連続しており、かつそれぞれ互いに直接連続して配置された壁（１５〜１８）の間で変形して形成されており、かつ内側層（２７）は、それぞれ互いに直接連続して配置された壁（１５〜１８）の間で分離セクション（２９）によって中断されており、かつ変形された外側層（２８）に対して短縮して形成されている、
ものにおいて、
−少なくとも第１の側壁（１５）、底壁（１６）、第２の側壁（１７）及び天井壁（１８）が設けられており、前記壁（１５〜１８）が、連続した裁断片（２２）から形成されており、
−裁断片（２２）の第１の終端セクション（２３）が突き合わせ領域（２５）内で裁断片（２２）の第２の終端セクション（２４）と結合されており、かつ
−壁（１５〜１８）が、中空ボディの形式の自己支持型の構造体（９）を形成する、
ことを特徴とするキャビンモジュール。
【請求項２】
２つの互いに向き合う終端セクション（２３、２４）の突き合わせ領域（２５）が、自己支持型の構造体（９）の角部領域の１つに配置されている、ことを特徴とする請求項１に記載のキャビンモジュール（８）。
【請求項３】
内側層（２７）の分離セクション（２９）が、裁断片（２２）の長手方向の延びに関して垂直の方向において２つの終端セクション（２３、２４）の間に延びるように方向づけされている、ことを特徴とする請求項１又は２に記載のキャビンモジュール（８）。
【請求項４】
壁（１５〜１８）の少なくとも１つにおいて、少なくともその内側層（２７）に、少なくとも１つの切り欠き（３５）、特に溝又はスリットが形成されており、かつ少なくとも１つの切り欠き（３５）が、裁断片（２２）の長手方向の延びに関して垂直の方向に延びるように方向づけされている、ことを特徴とする請求項１から３のいずれか１項に記載のキャビンモジュール（８）。
【請求項５】
連続した裁断片（２２）が複数の中空プロファイルから構成されており、前記中空プロファイルが裁断片（２２）の長手方向の延びに関して横方向において、その２つの終端セクション（２３、２４）の間に並べて配置されており、かつそれぞれ互いに向き合う長手側において互いに結合され、特に連結されている、ことを特徴とする請求項１から４のいずれか１項に記載のキャビンモジュール（８）。
【請求項６】
個々の中空プロファイルの外側層（２８）と内側層（２７）が、それぞれその間に延びる少なくとも１つのウェブによって、好ましくは複数のウェブによって、互いに離隔している、ことを特徴とする請求項１から５のいずれか１項に記載のキャビンモジュール（８）。
【請求項７】
それぞれ互いに直接連続して配置された壁（１５〜１８）によって、分離セクション（２９）内で中断して形成されている内側層（２７）が、キャビン空間（２１）へ向いた内側の角部領域（３０）において互いに結合され、特に互いに材料結合されている、ことを特徴とする請求項１から６のいずれか１項に記載のキャビンモジュール（８）。
【請求項８】
少なくとも１つの緩衝部材（３１）が設けられており、前記少なくとも１つの緩衝部材（３１）が、中空プロファイルの外側層（２８）と内側層（２７）の間に形成された少なくとも１つの中空チャンバ内に配置されている、ことを特徴とする請求項１から７のいずれか１項に記載のキャビンモジュール（８）。
【請求項９】
側壁（１５、１７）の少なくとも１つに、かつ／又は底壁（１６）に、かつ／又は天井壁（１８）に、少なくとも１つの貫通部（３２）が配置され、あるいは形成されており、かつ少なくとも１つの貫通部（３２）が外側層（２８）も内側層（２７）も貫通している、ことを特徴とする請求項１から８のいずれか１項に記載のキャビンモジュール（８）。
【請求項１０】
中空ボディ形状の構造体（９）の少なくとも１つの前端部（３３、３４）に、ドア配置及び／又は窓配置及び／又はロールブラインド配置が設けられている、ことを特徴とする請求項１から９のいずれか１項に記載のキャビンモジュール（８）。
【請求項１１】
裁断片（２２）、特にその中空プロファイルが、金属材料及び／又はプラスチック材料及び／又はそれらの組み合わせから形成されている、ことを特徴とする請求項１から１０のいずれか１項に記載のキャビンモジュール（８）。
【請求項１２】
金属材料として軽金属あるいは軽金属合金が選択されている、ことを特徴とする請求項１１に記載のキャビンモジュール（８）。
【請求項１３】
自動車（１）、特に緊急車両、消火車両、自治体車両、輸送車両であって、
車台（２）、ドライバーキャビン（３）と少なくとも１つのキャビンモジュール（８）、少なくとも１つの前輪配置（５）と少なくとも１つの後輪配置（６）を備えた走行装置（４）、及び駆動アグリゲート（７）を有する、ものにおいて、
少なくとも１つのキャビンモジュール（８）が、請求項１から１２のいずれか１項に記載の自己支持型の構造体（９）として形成されており、かつ車台（２）に保持されるか、あるいはドライバーキャビン（３）に取り付けられ、特に形状結合でそれに取り付けられている、ことを特徴とする自動車（１）。
【請求項１４】
中空ボディ形状の構造体（９）の長手方向の延びが、走行方向（１４）にみて車両の左側から車両の右側へ延びるように方向づけされている、ことを特徴とする請求項１３に記載の自動車（１）。
【請求項１５】
自己支持型の構造体（９）の少なくとも１つの壁（１５〜１８）の内部で内側層（２７）とそれから離隔して配置された外側層（２８）との間に少なくとも１つの導管が配置され、あるいは収容されている、ことを特徴とする請求項１３又は１４に記載の自動車（１）。
【発明の詳細な説明】
【技術分野】
【０００１】
本発明は、自己支持型の構造体の形式のキャビンモジュール及びこの種のキャビンモジュールを搭載した自動車に関する。
【背景技術】
【０００２】
特許文献１（米国特許出願公開第３４９６６８９（Ａ）号明細書）と特許文献２（米国特許出願公開第３９０３６６３（Ａ）号明細書）は、それぞれＶ字状の溝を形成し、かつ形成された溝に沿って曲げることによってつながったサンドイッチプレートからなる自動車の積載面用のカバーを記述している。サンドイッチプレートは、コア層に固定された内側層と外側層とを有している。内側層から始まって外側層の方向にＶ字状の溝が形成され、その場合に外側層は分断されないで、つながったままである。このように形成されたカバーは、複数の壁、すなわち天井壁、それから自由に張り出す２つの側壁及びそれぞれ側壁と天井壁の間の移行領域内に横断面で見て傾斜して延びる移行壁を有している。側壁は、それぞれ走行方向に見て積載面の側方に立ち上がるボディ部分に支持されており、かつそれに固定することもできる。その場合の欠点は、カバーの形状安定性を得るためには、常にカバーの荷重を吸収するボディ部分が必要なことである。
【先行技術文献】
【特許文献】
【０００３】
【特許文献１】米国特許出願公開第３４９６６８９（Ａ）号明細書
【特許文献２】米国特許出願公開第３９０３６６３（Ａ）号明細書
【発明の概要】
【発明が解決しようとする課題】
【０００４】
本発明の課題は、従来技術の欠点を克服して、より簡単な車両構造を実現することができる、自己支持型の構造体の形式のキャビンモジュールを提供することである。さらに、この種のキャビンモジュールを搭載した車両、特に自動車も提供しようとしている。
【課題を解決するための手段】
【０００５】
この課題は、請求項に記載のキャビンモジュール及びそれを搭載した自動車によって解決される。
【０００６】
本発明に係るキャビンモジュールは、自己支持型の構造体の形式で形成されており、特に、緊急車両、消防車両、消火車両、自治体車両又は輸送車両のような自動車内で、その中に収容すべき人員を移送するための乗務員キャビンとして用いられる。キャビンモジュールは、少なくとも以下に挙げるコンポーネントを有している：
−キャビン空間を少なくとも領域的に画成する、複数の壁を有し、その場合に
−これらの壁はそれぞれキャビン空間へ向いた内側層とそれから離隔して配置された外側層とを有しており、かつ
−個々の壁が連続した裁断片から形成されており、その裁断片が第１の終端セクションと、裁断片の長手方向にそれから離隔して配置された第２の終端セクションとを有し、その場合に
−互いに直接連続して配置された壁の角部領域内で外側層がそれぞれ連続し、かつそれぞれ互いに直接連続する壁の間で変形して形成されており、かつ内側層はそれぞれ互いに直接連続する壁の間で分離セクションによって中断されており、かつ変形された外側層に関してそれに対して短縮して形成されており、かつその場合に
−少なくとも第１の側壁、底壁、第２の側壁及び天井壁が設けられており、それらの壁が連続した裁断片から形成されており、
−裁断片の第１の終端セクションが突き合わせ領域内で裁断片の第２の終端セクションと結合されており、かつ
−壁が、中空ボディの形式の自己支持型の構造体を形成する。
【０００７】
それによって得られる利点は、中空ボディに関して横断面内で、かつそれに伴って周にわたってつながりあった壁によって、キャビンモジュールを形成するための安定した、自己支持型の構造体を形成できることにある。これらの壁自体がすでに内側層及びそれから離隔して配置された外側層から形成されていることによって、これらの壁はすでにそれ自体高い固有剛性を有している。内側層の領域内で、固有の分離セクションを切り離し、外側層をつながったままで維持することによって、最初は平面的な、連続した裁断片から壁を互いに対して立ち上げることにより、キャビンモジュールの支持するベース構造として安定した、簡単に形成すべき構造体を提供することができる。裁断片の長手方向の延びにおいて伸張した位置においては互いに離隔して配置されている２つの終端セクションを相互に結合することによって、２つの終端セクションの互いに対する結合領域においても、構造体を安定してまとめておくことができる。分離セクションの互いに対するそれぞれの位置及び選択によって、キャビンモジュールの寸法をそれぞれの要請に簡単に適合させることができる。ただ、キャビンモジュールを形成するための裁断片の充分な伸張された長さを準備し、形成すべき壁寸法に従って内側層の領域内のそれぞれの分離セクションを裁断片に形成すればよい。裁断片は、常に、両方の終端セクションの間の長手方向の延びにおいて、キャビンモジュールの一周する壁を形成することができるつながった構成部分を維持する。したがって壁をキャビンモジュールになるようにまとめる場合の相互に立ち上げる手間及び／又は相互に方向づけする手間を著しく削減することができる。というのは、互いに対して壁を、互いに対してあらかじめ定められた角度位置へ移動させれば済むからである。
【０００８】
さらに、２つの互いに向き合った終端セクションの突き合わせ領域が、自己支持型の構造体の角部領域の１つに配置されていると、効果的であり得る。突き合わせ領域を角部領域の１つに配置することによって、ここでも中空ボディ形状又はパイプ形状に形成された構造体となるように裁断片のそれぞれ互いに向き合った角部領域を相互に簡単に結合することができる。
【０００９】
他の実施形態は、内側層の分離セクションが２つの終端セクションの間の裁断片の長手方向の延びに関して垂直方向に延びるように方向づけされていることを、特徴としている。したがって個々の壁を互いに対して簡単に相互に一周するように平行に方向づけすることができる。
【００１０】
他の可能な形成において、壁の少なくとも１つにおいて少なくともその内側層に少なくとも１つの切り欠き、特に溝又はスリットが形成されており、かつ少なくとも１つの切り欠きは裁断片の長手方向の延びに関して垂直の方向に方向づけされている。したがって裁断片を準備する場合にすでに、さらにフラットに横たわる構成部分として後に必要とされる保持及び固定箇所を、キャビンモジュールの内部空間へ向いた内側層に簡単に形成することができる。したがって少なくとも内側層を付加的に部分的に除去することによって、固定箇所又は固定領域を形成することができ、そこにたとえば保持グリップ、発光ボディあるいは装備対象、工具などのための他の固定箇所又は係止点あるいは係止フックを取り付けて保持することができる。内側層を切り欠いいて、部分的に除去することによって、内側層を越えてキャビン内部空間の方向へ張り出す張り出しをわずかにすることができ、あるいは特に切り欠き内で上述した構成部分を完全に切り欠くことができる。すなわちこの種の取り付け部分は、中空プロファイルの高さ内に収容することができる。
【００１１】
他の可能な実施形態は、連続した裁断片が複数の中空プロファイルから構成されており、それらの中空プロファイルが裁断片の２つの終端セクションの間の裁断片の長手方向に関して横方向に並べて配置され、かつそれぞれ互いに向き合った長手側において互いに結合され、特に連結されている、という特徴を有している。並べて配置された複数の中空プロファイルから裁断片を構成することによって、一方で、形成すべきキャビンモジュールの組み立て幅を、そして他方では包囲すべきキャビン空間の寸法を簡単かつコスト的に好ましく、様々な使用条件に適合させることができる。複数の中空プロファイルを相互に結合し、かつ並べて配置することによって、標準プロファイルを利用することができ、それから最初に裁断片が形成される。この裁断片から、形成すべき壁に従って適切な数の分離セクションを設けることによって、後に自己支持型の構造体を形成することができる。
【００１２】
他の形成においては、個々の中空プロファイルの外側層と内側層はそれぞれそれらの間に延びる少なくとも１つのウェブによって、好ましくは複数のウェブによって、互いに離隔している。外側層と内側層を相互に結合することによって、中空プロファイルの固有安定性と剛性をさらに改良することができる。
【００１３】
他の実施形態は、それぞれ互いに直接連続して配置された壁のそれぞれ分離セクションによって中断して形成された内側層が、キャビン空間へ向いた内側の角部領域内で互いに結合され、特に互いに材料結合で結合されていることを、特徴としている。それによって内側の角部領域内でも、内側層が前もって分離されて、セクション的に除去されているにもかかわらず、あらたに、形成すべきキャビンモジュールの安定したまとまりと改良された固有剛性を提供することができる。
【００１４】
他の好ましい実施形態は、少なくとも１つの緩衝部材が設けられており、その少なくとも１つの緩衝部材が、中空プロファイルの外側層と内側層の間に形成された少なくとも１つの中空チャンバ内に配置されていることを、特徴としている。それによってキャビンモジュールの改良された遮音及び／又は断熱を得ることができる。絶縁及び／又は緩衝部材は、武器あるいは、石、ビン又は他の投擲物のような他の対象により射撃した場合に音を吸収し、かつ／又は貫通抵抗を高めるために用いることもできる。そしてさらに、それぞれ１つ又は複数の緩衝部材の固有剛性の選択に応じて、固有剛性全体をさらに改良することもできる。緩衝部材は、たとえば中空室又は中空チャンバ内へ挿入された発泡材料によって形成することができる。
【００１５】
さらに、側壁の少なくとも１つに、かつ／又は底壁に、かつ／又は天井壁に少なくとも１つの貫通部が配置又は形成されており、その少なくとも１つの貫通部が外側層も内側層も貫通していると、効果的であり得る。それによって車台又はドライバーキャビンへのキャビンモジュールの取り付けを簡単に容易にすることができ、あるいはそれぞれ要請と使用目的に応じて覗き窓、通信開口部、天窓などのための収容部を形成することができる。貫通部が天井壁に設けられている場合に、張り出すことのできる天井窓又は特に乗り込み開口部を形成することができる。さらに天井アタッチメントとして空調設備及び／又は外気を濾過して供給するためのフィルタモジュールを配置することもでき、そのようにして天井壁内の貫通部を介してキャビン室内へのアクセスを形成することができる。
【００１６】
他の代替的な実施形態は、中空ボディ形状又はトンネル形状の構造体の少なくとも１つの前端部に、ドア配置及び／又は窓配置及び／又はロールブラインド配置が設けられていることを、特徴としている。したがって中空ボディとして形成されている、支持する構造体を側方で閉鎖することができ、それによって完全に包囲されたキャビンモジュールを形成することができる。
【００１７】
他の可能な、場合によっては代替的な実施形態は、裁断片、特にその中空プロファイルが金属材料及び／又はプラスチック材料及び／又はそれらの組み合わせから形成されていることを、特徴を有している。したがって裁断片を形成するために、コスト的に好ましく入手できる標準製品を使用することができる。
【００１８】
他の形成においては、金属材料として軽金属又は軽金属合金が選択されている。それによって支持する構造体の高い固有強度と高い固有剛性において、重量を削減することができる。
【００１９】
本発明はさらに、自動車、特に緊急車両、消火車両、自治体車両、輸送車両にも関するものであり、その自動車は車台、ドライバーキャビンと少なくとも１つのキャビンモジュール、少なくとも１つの前輪配置と少なくとも１つの後輪配置を備えた走行装置及び駆動アグリゲートを有しており、それにおいて少なくとも１つの本発明に従って形成されたキャビンモジュールが自己支持型の構造体として使用され、かつキャビンモジュールは車台に保持されるか、あるいはドライバーキャビンに取り付けられており、特にドライバーキャビンに材料結合で取り付けられている。自動車にキャビンモジュールを配置し、あるいは取り付けることによって、組立ての手間を軽減することができ、それに伴ってさらに経済的な形成を可能にすることができる。
【００２０】
可能な実施形態は、中空ボディ形状又はトンネル形状の構造体の長手方向の延びが、走行方向に見て左の車両側から右の車両側へ延びるように方向づけされていることを、特徴としている。それによって車両幅の方向につながって形成されたキャビンモジュールを形成することができ、それにおいてその側方の前端部においてのみ、それぞれ必要に応じて様々なドア及び／又は窓配置を簡単に配置し、したがってキャビン内部空間のすべての側を包囲することができる。
【００２１】
そして好ましい自動車の形成において、自己支持型の構造体の少なくとも１つの壁の内部において内側層とそれから離隔して配置された外側層との間に少なくとも１つの導管（導線）を配置し、あるいは収容することができる。したがってケーブル通路の付加的な配置の大部分を省くことができる。さらにそのようにして、キャビンモジュールの領域内に保護された、安全な導管ガイドを得ることもできる。
【００２２】
本発明をよりよく理解するために、以下の図を用いて本発明を詳細に説明する。
図は、それぞれ著しく簡略化された図式的な表示である。
【図面の簡単な説明】
【００２３】
【図１】キャビンモジュールを有する自動車を簡単に様式化して示す側面図である。
【図２】キャビンモジュールの可能な形成を単独で示す斜視図である。
【図３】図２に示すキャビンモジュールを形成するための裁断片を、個々の壁が互いに対して伸張された、変形されない位置で示す斜視図である。
【図４】形成すべき角部領域内で裁断片の詳細を、図３のＶＩ−ＶＩ線に沿って拡大して示す断面図である。
【発明を実施するための形態】
【００２４】
最初に記録しておくが、異なるように記載される実施形態において、同一の部分には同一の参照符号ないし同一の構成部分名称が設けられており、その場合に説明全体に含まれる開示は、同一の参照符号ないし同一の構成部分名称を有する同一の部分へ意味に従って移し替えることができる。また、説明内で選択される、たとえば上、下、側方などのような位置記載は、直接説明され、かつ示される図に関するものであって、この位置記載は位置が変化した場合には意味に従って新しい位置へ移し替えられる。
【００２５】
その場合に「特に」という表現は、以下においては、対象又は方法ステップの可能な特殊な形態又はより詳細な特殊化と考えることができるが、必ずしもその必然的な好ましい実施形態又はやり方を示す必要はない。
【００２６】
図１には自動車１が簡略化した側面図で示されている。自動車１は、たとえば緊急車両、消防車両、消火車両、自治体車両又は輸送車両として用いることができる。好ましくは自動車１は、トラックとして形成されており、車台２、そのフロント側に配置されたドライバーキャビン３及び少なくとも１つの前輪配置５と少なくとも１つの後輪配置６を備えた走行装置４を有することができる。車輪配置５、６の各々は、両側にシングル車輪又はダブル車輪を有することができる。さらにまた、車輪配置５、６の各々において１つ又は複数の車軸を設けることも可能である。駆動するために、図式的に示唆する駆動アグリゲート７を用いることができる。
【００２７】
車台２、フレーム、シャーシ又は台枠と称するのは、原則的に車両、特に自動車１の支持する部分である。支持する部分は、駆動装置、ボディ及び場合によっては利用荷重を支持する機能を有する。
【００２８】
走行装置４と称するのは、原則的に、車輪を介して車台２を走行路に結合するために用いられる、陸上車両のすべての部分の全体である。走行装置４は、特に自動車１の主要構成要素に数えられる。これは、車輪、車輪支持体、車輪軸受、ブレーキ、車輪懸架装置、サブフレーム、スタビライザを含むばね、ダンパー及び操舵装置を含むことができる。
【００２９】
走行方向１４に見て、ドライバーキャビン３の後ろに続いて、−したがって後部の方向に−、少なくとも１つのキャビンモジュール８が設けられている。通常の走行方向１４が、自動車１の前進運動の矢印で記入されている。キャビンモジュール８は、自己支持型の構造体９の形状で形成されており、付加的な支持部材及び／又は補強部材なしで直接車台２に配置し、かつ車台の固定位置に位置決めして保持することができる。しかし緩衝するために、付加的に、詳しく図示されない緩衝及び／又はばね部材を設けることができる。しかしそれとは関係なく、キャビンモジュール８を直接ドライバーキャビン３に配置し、あるいは取り付けることが可能である。それによってダブルキャビンを形成することができ、それによりドライバーキャビン３とキャビンモジュール８とからなるつながりあった構成ユニットを形成することができる。
【００３０】
キャビンモジュール８は、単にキャビンと、あるいはまたはキャビン−構造モジュールと称することもできる。
【００３１】
キャビンモジュール８の後ろに続いて、車両構造１０を配置し、あるいは設けることができる。その中に様々な収容区画及び／又は収容ボックスを設けることができ、それによって出動する場合にそのために必要な装備対象、工具及び多くのものを整理して携行することができる。そのために収容区画及び／又は収容ボックスはドア、巻き上げブラインド又は他の閉鎖部材を用いて移送のために閉鎖することができ、かつ必要な場合には接近することができる。
【００３２】
この種のユニットもしくは構成部分コンポーネントの表示は、見通しをよくするために省かれている。
【００３３】
自動車１は、フロント側１１及び車両長手方向にそれから離隔したリア側１２を有しており、それによって組立て長さもしくは車両長さが定められている。ここではさらに、自動車１が好ましくは水平に方向づけされた載置面１３上に載置され、もしくはその上に支持されていることが、示されている。
【００３４】
図２ないし図４にはキャビンモジュール８のみが、可能な形成において示され、かつこの実施例において少なくとも第１の側壁１５、底壁１６、第２の側壁１７及び天井壁１８を有している。さらに、第１の側壁１５が、底壁１６を向いた端部において斜壁１９を形成することができ、その斜壁が残りの第１の側壁１７と９０°より大きく、１８０°までの角度を形成できることが、示されている。好ましくは後に、第１の側壁１５が走行方向１４に見て自動車１のフロント側１１へ向けられ、第２の側壁１７がそのリア側１２へ向けられる。すなわち第１の側壁１５はキャビンモジュール８のフロント壁と、そして第２の側壁１７はリア壁とも称することができる。
【００３５】
好ましくは角部領域２０内でそれぞれ直接隣接し、互いに向き合う壁１５〜１８は、それらの間に９０°の角度を形成する。個々の壁１５〜１８によって周方向に、したがってその一周する長手推移において見て、キャビン空間２１が少なくとも領域的に画成されている。
【００３６】
特に図２及び図３から明らかなように、個々の壁１５〜１８は唯一の連続した裁断片２２から形成されている。裁断片２２は、その長手方向の延びの方向に見て、第１の終端セクション２３とそれから離隔し、距離をおいて配置された第２の終端セクション２４とを有している。第１の終端セクション２３は、裁断片２２の壁１５〜１８がキャビン空間２１を形成する位置において、第２の終端セクション２４へ向けられており、かつ突き合わせ領域２５を形成しながら第２の終端セクション２４と結合もされている。２つの終端セクション２３、２４のこの相互の結合は、たとえば溶接プロセス、半田付けプロセス又は接着プロセスのような、材料結合を用いて行うことができる。すなわちたとえば溶接継目は補助材料によって、あるいはそれなしで形成することができる。レーザー溶接を実施することもできる。それに関係なく、あるいはそれに加えて、２つの終端セクション２３、２４を角部領域２０の１つにおいて、互いに隣接する２つの壁、この実施例においては第１の側壁１５と天井壁１８の間に突き合わせ領域２５を形成しながら、角部差込プロファイルによって形状結合かつ／又は力結合で互いに結合することも、可能である。それに加えてさらに、角部差込プロファイルを隣接する壁１５、１８と接着することもできる。
【００３７】
突き合わせ領域２５の配置は、個々の角部領域２０の各々に設けることができる。それに従って、裁断片２２における個々の壁１５〜１８の順序が定められる。ここに図示される、この実施例において、第１の終端セクション２３が第１の側壁１５に、そして第２の終端セクション２４は天井壁１８に配置されている。その場合に天井壁１８は、第１の終端セクション２３の領域内で第１の側壁１５の端面に支持される。
【００３８】
しかしまた、突き合わせ領域２５を、たとえば底壁１６と第２の側壁１７の間の角部領域２０内に配置することも、可能である。しかしそれとは関係なく、突き合わせ領域２５を第２の側壁１５と底壁１６の間、あるいは第２の側壁１７と天井壁１８の間に配置し、あるいは形成することもできる。さらに、突き合わせ領域２５を壁１５〜１８の１つの中に直接延びるように配置することもできる。
【００３９】
裁断片２２の形成及び突き合わせ領域２５の配置についての以下の説明は、第１の側壁１５と天井壁１８との間の配置に関する。
【００４０】
その長手方向の延びに関して垂直方向における裁断片２２の幅２６は、後に走行方向１４に関して横方向に見たキャビン幅を形成する。
【００４１】
裁断片２２及びそれに伴ってそれから形成される壁１５〜１８は、キャビン空間２１を向いた内側層２７とそれから離隔して配置された外側層２８とを有している。裁断片２２にそれぞれ互いに直接隣接して設けられて、後に形成すべき壁１５、１６；１６、１７；１７、１８の間に形成すべき角部領域２０内において、外側層２８はそれぞれつながっており、かつ後にそれぞれ互いに直接連続して配置される壁１５、１６；１６、１７；１７、１８の間で変形して形成されている。その例外は、角部領域２０の１つにおける破断部あるいは貫通部である。
【００４２】
個々の壁１５〜１８をその互いに向き合った、後に角部領域２０を形成する端部において、その材厚及び連続して形成された外側層２８に基づいて、それぞれ角部領域２０内で伸張された変形されない位置から互いに近づくように変位させるために、内側層２７から始まって外側層２８の方向へＶ字状の横断面を有する溝状の凹部が形成される。それが、図４に簡単に示されている。
【００４３】
溝形状の凹部の互いに近づくように延びるその溝側面は、好ましくは、外側層２８の内側層２７へ向いた内側面において終了している。既知のように、溝側面によって形成される角度は、壁１５〜１８の直立した位置において２つの壁１５〜１８によって形成される角度に等しくなるような大きさに選択される。そのために外側層２８の曲げ領域の両側において、それぞれの内側層２７はそのために短く形成される。その場合に互いに直接連続して配置される壁１５〜１８の間で内側層２７内に分離セクション２９が形成される。内側層２７の１つ又は複数の分離セクション２９は、好ましくは裁断片２２の長手方向の延びに関して垂直の方向においてその２つの終端セクション２３、２４の間に延びるように方向づけされている。
【００４４】
したがって外側層２８は、１つ又は複数の角部領域２０を形成するために、つながっているが、その曲げラインに沿って変形することができる。
【００４５】
外側層２８によってまだつながっている壁１５〜１８が自己支持型の構造体９になるように立ち上げられた場合に、壁１５〜１８によって横断面で見て回りを仕切られた中空ボディが形成される。この中空ボディは、中空直方体とも称することができ、それはある種のトンネルを形成し、あるいは画成する。
【００４６】
ここではさらに、自己支持型の構造体９の角部領域２０の１つにおいて、互いに向き合う２つの終端セクション２３、２４の間に上述した突き合わせ領域２５が配置されている。しかしこれは、上述したように、他の角部領域２０に配置することもできる。
【００４７】
連続した裁断片２２は、好ましくは複数の中空プロファイルから構成することができる。その場合に個々の中空プロファイルは、裁断片２２の長手方向の延びに関して横方向にその２つの終端セクション２３、２４の間に並べて配置されており、かつそれぞれ互いに向き合う長手側において互いに結合され、特に互いに連結されている。これは、この種の中空プロファイルにおいて知られているように、形状結合ベースで行うことができる。したがって個々の中空プロファイルの長手方向の延びは、同様に裁断片２２の長手方向の延びに関して平行な方向においてその２つの終端セクション２３、２４の間に延びている。
【００４８】
裁断片２２、特に個々の中空プロファイルを強化し、かつ補強するために、外側層２８と内側層２７はそれらの間に延びる少なくとも１つのウェブによって互いに離隔され、それによって互いに対して位置決めすることができる。しかし好ましくは、中空プロファイルの各々において、複数のウェブが設けられる。内側層２７と外側層２８の間におけるウェブの方位は、中空プロファイルの横断面において見て、任意に選択することができる。
【００４９】
個々の壁１５〜１８において、裁断片２２の長手方向の延びに関して横方向に、特にその中空プロファイルに対して横方向に、たとえば溝（横溝）又はスリットのような、付加的な切り欠きが少なくとも内側層２７に形成され、特にフライス形成することができ、その切り欠きは後にシートクッション、安全ベルトの係止点又は圧縮空気呼吸装置のホルダを収容するために用いることができる。長手ウェブが内側層２７と外側層２８の間の間隙の内部に設けられている場合に、これらも同様に切り欠き３５の領域内で切り欠かれ、あるいは除去される。溝（横溝）又はスリットのような切り欠き３５内に、たとえば係止ボルトのような固定手段を挿入することができ、必要な場合には、必要とされる、形成すべき固定点まで変位させ、あるいは滑り移動させることができる。それによってそれぞれの固定手段に由来する拘束力をキャビンモジュール８の支持する構造内へ投入することができる。少なくとも１つの切り欠き３５は、裁断片２２の長手方向の延びに関して垂直の方向に延びるように方向づけすることができる。
【００５０】
高い固有安定性を得るため、そして自己支持型のキャビンモジュール８をつながり合った構造体９として形成することができるようにするために、互いに直接連続して配置された壁１５〜１８の、分離セクション２９内で前もって分断された内側層２７が、それぞれキャビン空間２１を向いた内側の角部領域３０内で互いに結合されなければならない。これは、詳しく図示されない付加的な結合角度によって、かつ／又はたとえば溶接プロセス、半田付けプロセス又は接着プロセスのような、材料結合によっても、行うことができる。すなわち、たとえば溶接継目を補助材料を用いて、あるいはそれなしで形成することができる。レーザー溶接を実施することもできる。
【００５１】
個々の壁１５〜１８のより良好な遮音及び／又は断熱を得るために、少なくとも１つの緩衝部材３１を設けることができる。少なくとも１つの緩衝部材３１は、外側層２８と内側層２７の間に形成された中空チャンバ内に収容し、その中に配置することができる。壁１５〜１８が複数の中空プロファイルから形成されている場合に、複数の緩衝部材３１をそれぞれその中空チャンバ内に収容し、その中に配置することができる。
【００５２】
それぞれ緩衝材の選択に応じて、たとえば緩衝材料は発泡物質として内側層２７と外側層２８の間に形成された中空室又は中空チャンバ内へ投入し、特に噴射することができる。投入は、たとえば形成すべき角部領域２０の１つにおいて、形成された分離セクション２９の領域内で行うことができる。
【００５３】
したがって内側層２７と外側層２８の間の間隙内へのすでに存在するアクセスを、そのために簡単に利用することができ、付加的な開口部を形成する必要はない。
【００５４】
内側層２７と外側層２８の間、したがって中空プロファイルの内部又はその少なくとも１つの中空チャンバの内部に、様々な種類の導管を配置し、かつ収容することができる。それは、電気的な導管（導線）、様々な圧力媒体用の導管又は消火剤用の導管などとすることができる。さらに、中空プロファイル及び／又はその中空チャンバの内部を通して直接、流動可能な媒体を案内することも、可能である。中空プロファイル及び／又は中空チャンバへの入口及び／又はそこからの出口を形成するために、内側層２７及び／又は外側層２８に詳しく図示されない、名称のない開口部が設けられる。
【００５５】
さらに、壁１５〜１８の少なくとも１つに、少なくとも１つの貫通部３２を配置し、あるいは形成することもできる。少なくとも１つの貫通部３２は、外側層２８も内側層２７も完全に貫通し、かつ窓、覗き窓、通信開口部、天窓又は自動車１の構成部分を収容し、あるいは形成するために用いることができる。
【００５６】
キャビンモジュール８が車台２に取り付けられた位置にある場合に、裁断片２２の長手方向の延びは、走行方向１４に関して平行な方向に延びるように方向づけされている。キャビンモジュール８は、それぞれ端縁側において、したがって幅２６によって互いに離隔した長手側端縁の領域内で、走行方向１４に関して左の前端部３３及び右の前端部３４によって画成されている。この場合において中空ボディまたは中空プロファイル形状に形成された構造体９は、左の車両側から右の車両側へ延びるよう方向づけされた、長手方向の延びを有している。
【００５７】
中空ボディ形状の構造体９の前端部３３及び／又は３４の少なくとも１つに、ドア配置及び／又は窓配置及び／又はそれらの組み合わせ及び／又はロールアップブラインドを設けることができる。付加的な板張り及び／又は被覆部材も同様に、前端部３３及び／又は３４の領域内に設けることができる。さらに、壁１５〜１８の少なくとも１つのものの外側層２８にさらに、被覆部材を配置し、かつ／又は取り付けることが可能であって、それによって中空プロファイルからなる構造体のための可能な保護部材又は形状を与える構造を形成することができる。
【００５８】
付加的な板張り及び／又は被覆部材によって、走行方向１４に見て構造体９の横安定性をさらに向上させて、改良することができる。すなわち底壁１６に関する天井壁１８の相対変位を減少させ、それに伴って走行駆動における構造体９の捻れを同様に軽減することができる。
【００５９】
壁１５〜１８が複数の中空プロファイルから構成されている場合に、これらは金属材料及び／又はプラスチック材料及び／又はプラスチック材料と組み合わせた金属被覆した材料から形成することができる。しかしまた、互いに異なる材料を互いに組み合わせることも可能であって、たとえば裁断片２２を形成するために複合プロファイル又は複合材料を使用することもできる。さらに、たとえば繊維強化したプラスチック又は繊維複合材料も、使用することができる。
【００６０】
金属材料からなる中空プロファイルは、押し出しプレス方法によって形成することができる。プラスチック材料からなるそれは、エクストルージョンプロセスにおいて形成することができる。また、１つ又は複数の上述した緩衝部材３１をそれぞれの中空プロファイルの形成プロセスの途上でその中に配置し、あるいは挿入することも、可能である。
【００６１】
金属材料として、好ましくは軽金属及び／又は軽金属合金が使用される。
【００６２】
付加的に、左の側壁３６及び／又は右の側壁３７を設けることもでき、それらは同様に裁断片２２の一体的な構成部分を形成し、あるいは表す。これがたとえば、図３の第２の側壁１７の側方隣に、それぞれ裁断片２２の左の前端部３３と右の前端部３４の領域内に示唆されている。しかし側壁３６及び／又は３７は、他の壁の、そのすぐ側方に連続して配置することもできる。これは、並べて配置された複数の中空プロファイルから裁断片２２を形成する場合に実現される。したがって左と右の側壁３６と３７を設ける場合に裁断片２２から、中空直方体としてのキャビンモジュール８を形成することができる。個々の壁１５〜１８、１９、３６、３７の間の相互の結合は、溶接プロセス、接着プロセスによる材料結合で、あるいは角部差込プロファイルによって行うこともできる。
【００６３】
実施例は、可能な実施変形例を示しており、その場合にここに記録しておくが、本発明は具体的に示された実施変形例に限定されるものではなく、むしろ個々の実施変形例を互いに様々に組み合わせることも可能であり、これらの変形可能性はこの発明による技術的に取り扱うための教示に基づいて、この技術分野で活動する当業者の裁量の範囲内にある。
【００６４】
保護領域は、請求項によって定められる。しかし明細書と図面は、請求項を解釈するために利用されるべきである。図示され、かつ説明された様々な実施例からなる個別特徴及び特徴の組合せは、それ自体自立した進歩的解決を表すことができる。自立した進歩的解決の基礎となる課題は、明細書から読み取ることができる。
【００６５】
具体的な説明内の値領域についてのすべての記載は、その任意の部分領域とすべての部分領域を共に含むものであって、たとえば記載１から１０は、下限の１と上限の１０から始まるすべての部分領域、すなわち下限の１またはそれ以上で始まり、上限の１０またはそれ以下で終了する、たとえば１から１．７、または３．２から８．１、あるいは５．５から１０のすべての部分領域、を一緒に含んでいるものとする。
【００６６】
最後に形式的に指摘しておくが、構造を理解しやすくするために部材は一部縮尺どおりではなく、かつ／又は拡大及び／又は縮小して示されている。
【符号の説明】
【００６７】
１   自動車
２   車台
３   ドライバーキャビン
４   走行装置
５   前輪配置
６   後輪配置
７   駆動アグリゲート
８   キャビンモジュール
９   構造体
１０ 車両構造
１１ フロント側
１２ リア側
１３ 載置面
１４ 走行方向
１５ 第１の側壁
１６ 底壁
１７ 第２の側壁
１８ 天井壁
１９ 斜壁
２０ 角部領域
２１ キャビン空間
２２ 裁断片
２３ 第１の終端セクション
２４ 第２の終端セクション
２５ 突き合わせ領域
２６ 幅
２７ 内側層
２８ 外側層
２９ 分離セクション
３０ 内側の角部領域
３１ 緩衝部材
３２ 貫通部
３３ 左の前端部
３４ 右の前端部
３５ 切り欠き
３６ 左の側壁
３７ 右の側壁
【図１】
2020511357.tif 000003
【図２】
2020511357.tif 000004
【図３】
2020511357.tif 000005
【図４】
2020511357.tif 000006
【国際調査報告】
2020511357.tif 000007
2020511357.tif 000008
2020511357.tif 000009
2020511357.tif 000010